(57)【要約】【課題】各種バターナイフを適切に保持できる容器を提供する。【解決手段】蓋体３のＬ字状に切欠形成したナイフ口３３にバターナイフＸの柄部分ＸＡを保持させ、ナイフ口３３に向けてＶ字状に拡開するように蓋体３の内面に配置された複数ボス３５Ａからなる保持部３５でバターナイフＸの先端部分ＸＢを保持し、２箇所でバターナイフＸを蓋体３に保持させる。先端部分ＸＢの形状が異なるバターナイフＸでも、簡単な構成で、収容する食材に接触することなく保持できる。【選択図】図２
2015040046.tif 000002
【特許請求の範囲】
【請求項１】
鉛直方向の上面に開口部を有した容器本体と、
前記容器本体に着脱可能に取り付けられ前記開口部を開閉する樹脂製の蓋体と、を備え、
前記蓋体は、外周縁に設けられナイフの柄部分を係合保持するナイフ口と、前記容器本体の開口面に面する内面に突設され前記ナイフの先端部分を保持する保持部と、を備えている
ことを特徴とする容器。
【請求項２】
請求項１に記載の容器であって、
前記保持部は、前記ナイフ口に向けて拡開するＶ字状に形成されている
ことを特徴とする容器。
【請求項３】
請求項２に記載の容器であって、
前記保持部は、複数の突起が前記ナイフ口に向けてＶ字状に拡径配置されて構成されている
ことを特徴とする容器。
【請求項４】
請求項１または請求項２に記載の容器であって、
前記保持部は、前記ナイフ口に臨む平面を有する板状に形成され、前記ナイフの先端が挿入されるスリットを有している
ことを特徴とする容器。
【請求項５】
請求項１または請求項２に記載の容器であって、
前記保持部は、対をなす複数の突起が前記ナイフの先端部分の厚さ寸法以下で配置されて構成されている
ことを特徴とする容器。
【請求項６】
請求項１から請求項５までのいずれか一項に記載の容器であって、
前記ナイフ口は、前記蓋体の外周縁に連続して切欠形成された挿入口と、この挿入口に連続して切欠形成され前記蓋体の外周縁に沿った方向に凹状の係合凹部とを備えている
ことを特徴とする容器。
【発明の詳細な説明】
【技術分野】
【０００１】
本発明は、ナイフを保持可能な容器に関する。
【背景技術】
【０００２】
従来、バターやマーガリン、ジャムやヨーグルトなど、半固形のゲル状食品を収容する容器として、ゲル状食品を掬うためのバターナイフやへらなどの食卓用小刀であるナイフを容器本体に入れたまま、蓋体にて開口を閉塞できるように、蓋体にナイフ口を設けた構成が広く利用されている。
このような容器において、ゲル状食品の残量が多い場合にはナイフの柄の部分が容器から大きく突き出た状態となり、冷蔵庫などで保管する際に他の容器などと干渉してしまう不都合がある。一方、ゲル状食品の残量が少ない場合にはナイフが容器本体の奥まで入り込み、柄の部分にゲル状食品が付着して、ナイフの使用時に手に付着してしまう不都合がある。
【０００３】
そこで、容器の内側に、バターナイフをバターなどに触れない状態で着脱可能に保持する係止部を設けることが知られている（例えば、特許文献１参照）。
特許文献１に記載の容器は、蓋体の内面に、バターナイフを着脱可能な係止部を突設している。
【先行技術文献】
【特許文献】
【０００４】
【特許文献１】特開２００５−１０４５８１号公報
【発明の概要】
【発明が解決しようとする課題】
【０００５】
しかしながら、特許文献１に記載の容器では、容器の製造時に合わせて製造された所定寸法のバターナイフしか係止部に保持することができず、利用者の好みにあったバターナイフを保持できない不都合がある。
本発明は、各種ナイフを適切に保持できる容器を提供することを目的とする。
【課題を解決するための手段】
【０００６】
本発明の容器は、鉛直方向の上面に開口部を有した容器本体と、前記容器本体に着脱可能に取り付けられ前記開口部を開閉する樹脂製の蓋体と、を備え、前記蓋体は、外周縁に設けられナイフの柄部分を係合保持するナイフ口と、前記容器本体の開口面に面する内面に突設され前記ナイフの先端部分を保持する保持部と、を備えていることを特徴とする。
【０００７】
この発明では、ナイフの柄部分をナイフ口に保持するとともに、ナイフの先端部分を保持部に保持させることで、例えばナイフの柄の部分の幅寸法が異なるもの、ナイフの先端の刃先形状が異なるものなど、各種形状のナイフでも、内容物が触れることなく、蓋体の内側に所定の位置で保持可能となる。
ここで、樹脂製とは、合成樹脂の他、天然樹脂、ゴムも含むもので、弾性変形可能なものである。また、ナイフは、例えばバターナイフやへらなど、ゲル状物などを掬い取るための各種小刀状のものを対象とすることができる。
【０００８】
そして、本発明では、前記保持部は、前記ナイフ口に向けて拡開するＶ字状に形成されている構成とすることが好ましい。
この発明では、ナイフの先端部分がＶ字状の保持部の内側で挟み込こまれるように保持されることで、簡単な構造でナイフの先端部分の形状が異なるものでも保持できる。
【０００９】
また、本発明では、前記保持部は、複数の突起が前記ナイフ口に向けてＶ字状に拡径配置されて構成されている構成とすることが好ましい。
この発明では、ナイフの先端部分がＶ字状に配列された複数の突起に挟み込まれるように保持されることで、簡単な構造でナイフの先端部分の形状が異なるものでも保持できる。
【００１０】
さらに、本発明では、前記保持部は、前記ナイフ口に臨む平面を有する板状に形成され、前記ナイフの先端が挿入されるスリットを有している構成とすることが好ましい。
この発明では、ナイフの先端部分を保持部のスリットに挿入して保持させることで、簡単な構造でナイフの先端部分の形状が異なるものでも確実に保持できる。
【００１１】
また、前記保持部は、対をなす複数の突起が前記ナイフの先端部分の厚さ寸法以下で配置されて構成されている構成とすることが好ましい。
この発明では、ナイフの先端部分が対をなす複数の突起の間に挟まれるように保持されるので、簡単な構造でナイフの先端部分の形状が異なるものでも保持できる。
ここで、ナイフの先端部分の厚さ寸法とは、ナイフの材質により異なるが、金属製のものでは、先端部分のいわゆる刃の部分における厚さ寸法が厚くても５ｍｍ程度であることから、対をなす突起間の間隙を５ｍｍ以下に設定しておくことで、各種ナイフの先端部分を厚さ方向で挟持するように保持可能となる。なお、金属製のナイフにおけるいわゆる刃の部分における幅寸法は、２０〜２５ｍｍ程度が一般的であることから、ナイフの幅方向で保持する場合には、２０ｍｍ以下に設定しておくことで、各種ナイフの先端部分を幅方向で挟持するように保持可能となる。
【００１２】
そして、本発明では、前記ナイフ口は、前記蓋体の外周縁に連続して切欠形成された挿入口と、この挿入口に連続して切欠形成され前記蓋体の外周縁に沿った方向に凹状の係合凹部とを備えている構成とすることが好ましい。
この発明では、挿入口から係合凹部に切欠形成したＬ字状のナイフ口とすることで、ナイフの柄の部分を挿入口から挿入して係合凹部に係合させて保持することが、簡単な構成でできる。
【図面の簡単な説明】
【００１３】
【図１】本発明の一実施形態に係る容器を示す分解斜視図。
【図２】前記容器にバターナイフを保持した状態を示す斜視図。
【図３】前記蓋体の保持部にバターナイフの先端部分を保持させた状態を示す平面図で、（Ａ）（Ｂ）はそれぞれ異なる先端部分のバターナイフを保持した図。
【図４】本発明の他の実施形態に係る容器における保持部を示す斜視図。
【図５】本発明のさらに他の実施形態に係る容器における保持部を示す斜視図で、（Ａ）（Ｂ）はそれぞれ異なる先端部分のバターナイフを保持した図。
【図６】本発明のさらに他の実施形態に係る容器における保持部を示す斜視図。
【図７】本発明のさらに他の実施形態に係る容器における保持部を示す斜視図。
【図８】本発明のさらに他の実施形態に係る容器における保持部を示す斜視図。
【図９】本発明のさらに他の実施形態に係る容器における保持部を示す正面断面図で、（Ａ）（Ｂ）は先端部分がそれぞれ異なる幅寸法のバターナイフを保持した図。
【図１０】本発明のさらに他の実施形態に係る容器における保持部を示す側面断面図で、（Ａ）はボスを垂直に突設した保持部で、（Ｂ）はボスを傾斜して突設した保持部。
【図１１】本発明のさらに他の実施形態に係る容器におけるナイフ口を示す図で、（Ａ）は斜視図、（Ｂ）は正面断面図。
【発明を実施するための形態】
【００１４】
以下、本発明の容器に係る一実施形態について図面を参照して説明する。
［容器の構成］
図１に示すように、１は容器で、容器１は、例えばマーガリンなどの粘性を有するゲル状食品である食材を収容する容器である。この容器１は、鉛直方向の上面に開口部２１を有した容器本体２と、容器本体２に着脱可能に取り付けられ開口部２１を開閉する蓋体３とを具備している。
【００１５】
容器本体２は、略長方形で四隅が円弧状の図示しない底板部と、当該底板部の外周縁に鉛直方向の上方に向けて拡径するように屈曲形成された側板部２３と、当該側板部２３の上端縁に外方に向けて鍔状に屈曲形成された鍔部２４と、当該鍔部２４の外周縁に上方に向けて屈曲形成された立壁部２５と、鍔部２４の外周縁から外方に向けてさらに延設され先端縁が下方に向けて屈曲された当接部２６とを備え、立壁部２５の上端縁にて開口部２１が開口形成されている。
立壁部２５は、上方に向けて次第に厚み寸法が薄くなるようにテーパー状に形成されている。また、立壁部２５の外周面には、四隅に位置して外方に突出する係止爪部２７が設けられている。さらに、立壁部２５には、容器本体２の長手方向の両端縁の略中央に位置して、例えばナイフであるバターナイフＸの柄部分ＸＡを保持するための切欠部２８が設けられている（図２参照）。なお、バターナイフＸは、金属製、木製、磁器製など、各種部材のものを対象とすることができ、収容された食材を掬い取る各種食器が含まれる。また、本実施形態では、ナイフとしてバターナイフＸを例示するが、各種食卓用小刀やへらなど、容器本体２に収容されたゲル状物などの収容物を取り出し可能な各種小刀状の物が利用できる。
【００１６】
そして、容器本体２は、例えばポリエチレンやポリプロピレン、ポリスチレン、ポリ乳酸などの樹脂原料により、射出成形にて形成される。
容器本体２は、開口部２１の長手方向の寸法が９０ｍｍ以上１５０ｍｍ以下、短手方向の寸法が６０ｍｍ以上１２０ｍｍ以下、開口部２１の長手方向寸法／短手方向寸法＝０．７５以上２．５以下で、容器本体２の高さ寸法は、２５ｍｍ以上５５ｍｍ以下で形成されている。
【００１７】
蓋体３は、略長方形で四隅が円弧状の天板部３１と、当該天板部３１の周縁が下方に向けて屈曲形成された側面部３２を有し、下方に開口するドーム状に，容器本体２と同様の合成樹脂にて形成されている。なお、合成樹脂に限らず、天然樹脂、ゴムなど、弾性を有する樹脂材料にて形成されていればよい。
側面部３２は、容器本体２の立壁部２５の外周側に重なるように形成され、内面に容器本体２の係止爪部２７に係脱し取り付けられる図示しない係合爪部を有している。
なお、側面部３２は、容器本体２に取り付けられた状態で、下端縁が当接部２６に当接もしくはわずかな間隙で対向するように形成されている。すなわち、蓋体３を容器本体２に取り付けた際、側面部３２が当接部２６に当接し、良好な装着感を提供できる。さらに、誤って容器１を落下するなど蓋体３に大きな外力が作用した際、側面部３２が当接部２６に当接して外力を吸収することで、蓋体３が損傷することを防止する構成としている。
【００１８】
また、側面部３２には、容器本体２の切欠部２８の位置に対応して、下端縁が回動してナイフ口３３を開閉することで容器本体２の切欠部２８を開閉する開閉片部３４が切り込み形成されている。なお、図２は、説明の都合上、開閉片部３４を切り落とした状態を示す。
ナイフ口３３は、蓋体３の外周縁である下端縁に連続して下方に向けて凹状に切欠形成される挿入口３３Ａと、挿入口３３Ａの一側から蓋体の下端縁に沿った方向へ凹状に切欠形成された係合凹部３３Ｂとを有し、Ｌ字状に切欠形成される。また、係合凹部３３Ｂの挿入口３３Ａ側の開口縁における下端側には、上方に向けて突出し、係合凹部３３Ｂの開口を狭め、挿入されたバターナイフＸの柄部分ＸＡを係止保持する係止爪部３３Ｃが突設されている。なお、バターナイフＸの柄部分ＸＡが把持しやすいよう肉厚に形成されている場合、ナイフ口３３ではバターナイフＸの刃の部分である先端部分ＸＢの基端部分を柄部分ＸＡとして保持させればよい。
【００１９】
さらに、天板部３１の内面、すなわち容器本体２の開口部２１の開口面に面する内面には、バターナイフＸの先端部分ＸＢを保持する保持部３５が設けられている。保持部３５は、円柱状のボス３５Ａが一方のナイフ口３３に向けてＶ字状に拡開する配置で複数突設されている。なお、図１，２は、説明の都合上、ボス３５Ａを誇張して示す。
これらボス３５Ａは、バターナイフＸの先端部分ＸＢを保持する際、先端部分ＸＢにて押し退けられるように弾性変形され、その復元力により先端部分ＸＢを幅方向から挟み込むようにして保持する。
なお、例えば金属製のバターナイフＸのいわゆる刃の部分である先端部分ＸＢにおける幅寸法は、２０〜２５ｍｍ程度が一般的である。このことから、ボス３５ＡのＶ字状の配置における最も拡開した位置でのボス３５Ａの間隔を、２５ｍｍ以下にしておくことで、Ｖ字状の配置のボス３５Ａを、各種バターナイフＸの保持に利用できる。
【００２０】
また、容器本体２および蓋体３には、バターナイフＸを蓋体３に保持させる作業内容などの説明書きや説明図を設けておくことが好ましい。
【００２１】
[バターナイフの保持]
次に、バターナイフを蓋体に保持する動作について説明する。
上記容器を開封し、収容された食材を取り出したバターナイフＸを蓋体３に保持する状況について説明する。
【００２２】
まず、容器の開封に際し、蓋体３を容器本体２から取り外す。そして、蓋体３の開閉片部３４を下端縁から切り起こし、ナイフ口３３を開口させる。
そして、容器本体２に収容された食材を覆う図示しないシート部材を取り外し、食材を開口部２１から望む状態とする。この状態で、バターナイフＸにより、食材を掬い取ることができる。
【００２３】
残った食材を保存する場合には、図示しないシート部材にて再び食材を覆う。また、使用したバターナイフＸについては、図３（Ａ）に示すように、Ｖ字状に配置された保持部３５のボス３５Ａの内側に先端部分ＸＢを差し込むようにする。このことにより、各ボス３５Ａが先端部分ＸＢにてそれぞれ外側に押し出されるように力が作用する。この力に対して、ボス３５Ａが弾性による復元力により、先端部分ＸＢを幅方向から挟み込むようにして保持する。さらに、柄部分ＸＡをナイフ口３３の挿入口３３Ａから係止爪部３３Ｃを乗り越えるようにして係合凹部３３Ｂに挿入して係合させる。
このように、柄部分ＸＡがナイフ口３３に係合保持され、先端部分ＸＢが保持部３５に保持されて、図２に示すように、バターナイフＸは蓋体３に２箇所で保持される。
【００２４】
ここで、形状の異なるバターナイフＸを保持する場合では、図３（Ｂ）に示すように、保持部３５がＶ字状に配置された複数のボス３５Ａにより、幅方向から挟まれるように保持される。
このように、上記実施形態では、蓋体３のナイフ口３３でバターナイフＸの柄部分ＸＡを保持するとともに、蓋体３の内面に設けた保持部３５でバターナイフＸの先端部分ＸＢを保持し、２箇所でバターナイフＸを蓋体３に保持させるので、異なる形状のバターナイフＸでも、蓋体３に保持させることができる。
【００２５】
そして、上記実施形態では、バターナイフＸの先端部分ＸＢを保持する保持部３５として、ナイフ口３３に向けてＶ字状に拡開する配置に複数のボス３５Ａを設けている。
このため、先端部分ＸＢの形状が異なるバターナイフＸでも、先端部分ＸＢを保持部３５の内側で幅方向から挟むように保持することができ、保持部３５をＶ字状に形成する簡単な構成で、異なるバターナイフＸを保持できる。
【００２６】
さらに、上記実施形態では、複数のボス３５Ａを配置して、保持部３５をナイフ口３３に向けてＶ字状に拡開する構成としている。
このため、少ない材料で異なる形状の先端部分ＸＢを保持でき、蓋体３の成形性が損なわれることを防止できるとともに、バターナイフＸの先端部分ＸＢと保持部３５との接触面積が小さく、保持部３５に食材が付着して、見掛けが損なわれることも抑制できる。
【００２７】
［変形例］
なお、本発明を実施するための最良の構成などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、材質、数量、その他の詳細な構成において、当業者が様々な変形を加えることができるものである。
したがって、上記に開示した材質、層構成などを限定した記載は、本発明の理解を容易にするために例示的に記載したものであり、本発明を限定するものではないから、それらの材質などの限定の一部若しくは全部の限定を外した名称での記載は、本発明に含まれるものである。
【００２８】
例えば、容器本体２に収容するものとして、マーガリンなどの粘性を有する食材としたが、例えば化粧クリーム、グリースなどの潤滑油、ビーズやクリップなどの粉粒物や固形物など、収容物を掬い取るために道具を用いる構成に適用できる。
そして、容器本体２についても合成樹脂製としたが、例えばガラスや陶器製、金属製、木製などとしてもよい。
【００２９】
また、上記実施形態において、ボス３５Ａを円柱状に形成したが、例えばボス３５Ａの先端部に、Ｖ字状の配置における拡径する内側に、爪部を突設したり、凹部を設けたりし、バターナイフＸの先端部分ＸＢが脱落しないように、爪部や凹部に引っ掛けるようにしてもよい。
この爪部や凹部のように引っ掛けて脱落しない構成とすることで、より確実に異なる形状のバターナイフＸでも保持できる。
【００３０】
さらに、保持部３５をＶ字状に拡径する構成として、複数のボス３５Ａに限らず、例えば図４に示す保持部４１のように形成してもよい。
この図４に示す保持部４１は、ナイフ口３３に臨む平面４２Ａを有する板状に突設したリブ４２を、ナイフ口３３に向けて拡開するＶ字状に形成し、リブ４２にバターナイフＸの先端部分ＸＢが挿入されるスリット４３を設けている。スリット４３としては、先端部分ＸＢをがたつき無く保持するためにバターナイフＸの厚さ寸法以下、具体的には、例えば金属製のものでは、いわゆる刃の部分である先端部分ＸＢにおける厚さ寸法が厚くても５ｍｍ程度であることから、５ｍｍ以下としている。なお、この寸法に限らず、先端部分ＸＢが挿入しやすい点で、スリット４３がバターナイフＸの厚さ寸法より広い形状としてもよい。また、スリット４３の長手方向の寸法は、例えば金属製のバターナイフＸのいわゆる刃の部分である先端部分ＸＢにおける幅寸法は、２０〜２５ｍｍ程度が一般的であることから、２５ｍｍより広めにすることで、挿入しやすくなる。
この図４に示す構成についても、異なる形状のバターナイフＸを、食材に接触することなく蓋体３に保持することが、簡単な構成で容易にできる。また、板状のリブ４２のスリット４３に挿入して保持する構成としたので、先端部分ＸＢを脱落することなく確実に保持させることができる。
【００３１】
さらに、本発明では、図４に示すＶ字状のリブ４２とすることなく、例えば図５に示すように、ナイフ口３３に向けて略垂直に図示しない平面が臨む平板状に形成したリブ５１にスリット５２を設けた保持部５３としてもよい。なお、図５において、スリット５２の長さ寸法としては、例えば開口部２１の幅寸法の半分程度とすることで、先端部分ＸＢが幅広のバターナイフＸでも保持できる。
この図５に示す構成についても、他の実施形態と同様に、異なる形状のバターナイフＸを、食材に接触することなく蓋体３に保持することが、簡単な構成で容易にできる。
【００３２】
また、本発明では、バターナイフＸの保持として、食材に接触しにくいように、先端部分ＸＢの平面が略水平方向に沿うように保持する構成に限らず、例えば図６に示すように、先端部分ＸＢの平面が略上下方向に沿うように保持する構成としてもよい。
この図６に示す保持部６１は、蓋体３の幅方向で対向する対をなす突起である円柱状のボス６２が、蓋体３の長手方向に沿って直線状に配置された状態に設けられている。すなわち、対をなすボス６２間の間隙が、図４に示す実施形態や図５に示す実施形態におけるスリット４３，５２と同様に機能し、バターナイフＸの先端部分ＸＢを挟持保持する。
ここで、対をなすボス６２間の間隙は、バターナイフＸの先端部分の厚さ寸法以下、具体的には、例えば金属製のバターナイフＸの先端部分ＸＢの厚さ寸法が厚くても５ｍｍ程度であることから、５ｍｍ以下であれば、各種バターナイフＸの先端部分ＸＢを厚さ方向で教示するように保持可能となる。
この図６に示す構成についても、他の実施形態と同様に、異なる形状のバターナイフＸを、食材に接触することなく蓋体３に保持することが、簡単な構成で容易にできる。
【００３３】
なお、対をなすボス６２により、対向する間隙で保持する構成として、円柱状に限らず、平面が対向する対をなす板状のリブを設けるなどしてもよい。
また、図６に示す容器の保持部６１として、例えば図７に示す保持部７１のように、蓋体３の長手方向でボス７２の配置を互い違いに配置、すなわち千鳥足状に配置してもよい。
さらに、図６に示す容器の保持部６１として、例えば図８に示す保持部８１に示すように、細長のボス８２をブラシ毛状に複数設けて、ブラシ毛を押し分けるように挟み込むようにしてもよい。
【００３４】
また、図１〜３の実施形態に示すように、先端部分ＸＢの平面が略水平方向に沿うように保持する構成として、ボス３５ＡをＶ字状に拡開する配置としたが、例えば図９に示すように、対をなすボス３５Ａを先端側に従って間隔が広がるようにＶ字状に傾斜して突設してもよい。
この図９に示す構成では、バターナイフＸの先端部分ＸＢの幅寸法が広い場合には、図９（Ａ）に示すように、ボス３５Ａの先端部間で先端部分ＸＢを幅方向で挟持するように保持する。一方、先端部分ＸＢの幅寸法が狭い場合には、図９（Ｂ）に示すように、ボス３５Ａの基端側で先端部分ＸＢを幅方向で挟持するように保持する。
この図９に示す構成についても、他の実施形態と同様に、異なる形状のバターナイフＸを、食材に接触することなく蓋体３に保持することが、簡単な構成で容易にできる。
【００３５】
なお、この図９に示す実施形態では、バターナイフＸの先端部分ＸＢとボス３５Ａとの摩擦を大きくして保持力を高めるために、対をなすボス３５Ａの対向する側面に、バターナイフＸとの接触面積が広くなるように、平面を有した形状とすることが好ましい。さらに、対をなすボス３５Ａの対向する側面に、鋸刃のように凹凸を複数設け、先端部分ＸＢが引っ掛かるようにしてもよい。
また、ボス３５ＡとバターナイフＸとの接触面積を広くする構成として、例えば図１０に示すように、ボス３５Ａを傾斜して突出するようにしてもよい。すなわち、図１０（Ａ）に示すように、ボス３５Ａを垂直に突出するように設けてもよいが、図１０（Ｂ）に示すように、保持される先端部分ＸＢの平面に対して長手方向が交差するように傾斜して突出するように設けるとよい。この図１０（Ｂ）に示す構成によれば、図１０（Ａ）に示す構成に比してボス３５ＡとバターナイフＸとの接触面積を広くすることができ、より保持力の向上を図ることができる。
【００３６】
また、上記図１〜３に示す実施形態において、ナイフ口３３を平面視でＬ字状に切欠形成した構成としたが、例えば図１１に示すように、バターナイフＸの柄部分ＸＡを挿入するナイフ口９１の開口縁を開閉する構成としてもよい。
具体的には、図１１に示すナイフ口９１は、蓋体３の周方向で対向する縁がそれぞれ回動する一対の開閉片部９２により、バターナイフＸの柄部分ＸＡが挿入されるナイフ口９１の下端開口を開閉し、ナイフ口９１の下端開口を閉じた開閉片部９２で柄部分ＸＡを係止する。この図１１に示すナイフ口９１としても、柄部分ＸＡを保持できる。
そして、この図１１に示すナイフ口９１とすることで、ナイフ口９１を介して容器１内に連通する開口面積が小さくなり、収容物の酸化や乾燥などの変質を抑制することができる。
なお、図１１では、説明の都合上、柄部分ＸＡの断面形状に対応したナイフ口９１が開口する状態に開閉片部９２を設けたが、形状が異なる柄部分ＸＡを保持可能にナイフ口９１が比較的大きく開口するように、開閉片部９２を小さく形成してもよい。
そして、開閉片部９２として一対設ける構成に限らず、一側のみ回動させてナイフ口９１の下端開口を開閉する構成としてもよい。
【産業上の利用可能性】
【００３７】
本発明は、食品、化粧品、工業品、玩具や文具などの各種物品を収容する容器に適用できる。
【符号の説明】
【００３８】
１…容器
２…容器本体
３…蓋体
２１…開口部
３３，９１…ナイフ口
３５，４１，５３，６１，７１，８１…保持部
３５Ａ，６２，７２，８２…突起であるボス
４３，５２…スリット
Ｘ…ナイフとしてのバターナイフ
ＸＡ…柄部分
ＸＢ…先端部分
【図１】
2015040046.tif 000003
【図２】
2015040046.tif 000004
【図３】
2015040046.tif 000005
【図４】
2015040046.tif 000006
【図５】
2015040046.tif 000007
【図６】
2015040046.tif 000008
【図７】
2015040046.tif 000009
【図８】
2015040046.tif 000010
【図９】
2015040046.tif 000011
【図１０】
2015040046.tif 000012
【図１１】
2015040046.tif 000013